(57)【要約】      （修正有）【課題】袖又は裾等の管口箇所の縫製工程を簡易化し、ミシンの縫製性能を向上させる管口縫製に用いる布フック装置を提供する。【解決手段】管口縫製に用いる布フック装置１は、ベース１０と、前後移動機構２０及び上下移動機構３０と、を含み、前後移動機構２０は、ベース１０上に取り付けられ、前後移動機構２０は、第１アクチュエータ２１及び第１アクチュエータ２１の駆動を受ける移動ブロック２３を含み、上下移動機構３０は、移動ブロック２３に取り付けられるソケットと、ソケットに固定される第２アクチュエータと、ソケットに枢着され、該第２アクチュエータの駆動を受ける揺動アームと、揺動アームに接続する布フックロッド３４と、を含み、布フックロッド３４は、前後移動機構２０及び上下移動機構３０の動作によって、伸縮移動及び回転布フックを発生することができる。【選択図】図１
0003211998.tif 000002
【実用新案登録請求の範囲】
【請求項１】
ベースと、
該ベース上に取り付けられ、第１アクチュエータ及び該第１アクチュエータの駆動を受ける移動ブロックを含む前後移動機構と、
該移動ブロックに取り付けられるソケットと、該ソケットに固定される第２アクチュエータと、該ソケットに枢着し、該第２アクチュエータの駆動を受ける揺動アームと、該揺動アームに接続する布フックロッドと、を含む上下移動機構と、
を含み、該布フックロッドは、該前後移動機構及び該上下移動機構の動作によって、伸縮移動及び回転布フックを発生できる管口縫製に用いる布フック装置。
【請求項２】
前記ベースは、ベース板を含み、該ベース板は、ガイドレールを取り付け、該前後移動機構は、更に該第１アクチュエータ及び該移動ブロックを接続する滑動接続部材を含み、該滑動接続部材は、該ガイドレールを滑動接続させるガイド溝を設ける請求項１に記載の管口縫製に用いる布フック装置。
【請求項３】
前記ベースは、更に、接続構造及び係止板を含み、該接続構造は、横板、該横板から延伸する縦板及び該縦板から延伸する側板を含み、該横板は、該ベース板上に固定され、該係止板は、Ｌ形板によって該縦板に固定され、該係止板及び該縦板の間に間隔溝を形成する請求項２に記載の管口縫製に用いる布フック装置。
【請求項４】
前記ベースは、更に、スリーブ接続柱を含み、該スリーブ接続柱は、該縦板に固定され、且つ該係止板の前端面に延伸突出する請求項３に記載の管口縫製に用いる布フック装置。
【請求項５】
前記ベース板上方は、矩形ブロックを固定され、該矩形ブロック前側にガイド柱を接続し、該移動ブロックは、下ブロック体を含み、該下ブロック体に該ガイド柱を滑動接続させる貫通孔を設ける請求項２に記載の管口縫製に用いる布フック装置。
【請求項６】
前記移動ブロックは、更に、ブロック体を含み、該上ブロック体は、該下ブロック体上方に固定され、該ソケットは、該上ブロック体に取り付けられる請求項５に記載の管口縫製に用いる布フック装置。
【請求項７】
更に、方向転換機構を含み、該方向転換機構は、つまみ及びネジを含み、該ネジは、該ソケットの一側辺に接続し、且つ該ネジは、該上ブロック体のネジ孔に螺合し、該ネジは、該ネジの一端に固定される請求項６に記載の管口縫製に用いる布フック装置。
【請求項８】
前記第１アクチュエータは、シリンダ及び該シリンダに接続し且つ該シリンダに対して伸縮移動可能なタイロッドを含み、該タイロッドは、該滑動接続部材に接続する請求項２に記載の管口縫製に用いる布フック装置。
【請求項９】
前記ソケットは、枢着軸に接続し、該揺動アームは、第１通孔を設け、該第１通孔は、該枢着軸にスリーブ接続する請求項１に記載の管口縫製に用いる布フック装置。
【請求項１０】
該揺動アームは、更に、該第１通孔と互いに平行な第２通孔を設け、該第２アクチュエータは、Ｕ形構造、シリンダ、タイロッド及びＵ形板を含み、該Ｕ形構造は、該ソケットに固定され、該シリンダは、挿入ピンによって該Ｕ形構造に枢着し、該タイロッドは、該シリンダに接続し、該シリンダに対して伸縮移動することができ、該Ｕ形板は、該タイロッドに接続し、該Ｕ形板は、連通孔を設け、該布フックロッドは、該連通孔及び該第２通孔に貫通接続して固定される請求項９に記載の管口縫製に用いる布フック装置。
【考案の詳細な説明】
【技術分野】
【０００１】
本考案は、ミシン技術に関し、特に、管口縫製に用いる布フック装置に関する。
【背景技術】
【０００２】
現在、裾や袖の管口縫製に使用するものは、ほとんどがその管口の位置を折り返し、１回又は２回縫製を行うか、更に折り返し面に伸縮バンド、レース又はバンド辺等の部材を貼付して共に縫製し、その締め付け効果を向上させるか、美感を高める。
【０００３】
現行の裾又は袖の縫製作業は、管口の作業材料を折り返した後、作業者が手で押し込み、フィード部材のステッピング又はローリングに併せて縫い針を縫製加工部材に送る等の工程によって実現する。
しかしながら、作業者の技術が未熟であるか、手で送る力の差異によって、管口の縫製が整わない又は皺がある等の不良な状況を招き、製品の品質に影響を及ぼす。また、人力で縫製を行う生産は、受注生産者にとって経済公益に合わず、改善が期待される。
【先行技術文献】
【特許文献】
【０００４】
【特許文献１】特開平５−３１２７８号公報
【特許文献２】特開平７−２３６７８７号公報
【考案の概要】
【考案が解決しようとする課題】
【０００５】
本考案の目的は、袖又は裾等の管口箇所の縫製工程を簡易化し、ミシンの縫製性能を向上させることができる管口縫製に用いる布フック装置を提供することである。
【課題を解決するための手段】
【０００６】
上記の目的を達成する為、本考案が提供する管口縫製に用いる布フック装置は、ベースと、前後移動機構及び上下移動機構と、を含み、該前後移動機構は、該ベース上に取り付けられ、該前後移動機構は、第１アクチュエータ及び該第１アクチュエータの駆動を受ける移動ブロックを含み、該上下移動機構は、該移動ブロックに取り付けられるソケットと、該ソケットに固定される第２アクチュエータと、該ソケットに枢着され、該第２アクチュエータの駆動を受ける揺動アームと、該揺動アームに接続する布フックロッドと、を含み、該布フックロッドは、該前後移動機構及び該上下移動機構の動作によって、伸縮移動及び回転布フックを発生することができる。
【考案の効果】
【０００７】
本考案は、以下の効果を有する。それは、移動ブロック及びガイド柱の滑動の組み合わせを利用し、布フックロッドの移動を更に安定、精確にさせる。方向転換機構の設置により、各種異なる使用の要求に応じて、布フックロッドのフック部を制御し、下向きの回転布フック又は上向きの回転布フックを発生させ、且つ部材の共用、下向き回転又は上向き回転の変換の簡易操作等における多くの利点を達成できる。
【図面の簡単な説明】
【０００８】
【図１】本考案の布フック装置の組み合わせ外観図である。
【図２】本考案の布フック装置のもう１つの視角の組み合わせ外観図である。
【図３】本考案のベースの立体分解図である。
【図４】本考案の前後移動機構の立体分解図である。
【図５】本考案の上下移動機構の立体分解図である。
【図６】本考案の布フック装置をミシンに応用する使用状態図１である。
【図７】本考案の布フック装置をミシンに応用する使用状態図２である。
【図８】本考案の布フック装置をミシンに応用する使用状態図３である。
【考案を実施するための形態】
【０００９】
本考案の詳細な説明及び技術内容について、以下に図面を合わせて説明するが、図面は、参考及び説明用に提供するだけであり、本考案に制限を加えるものではない。
【００１０】
図１〜図５を参照し、本考案が提供する管口縫製に用いる布フック装置は、そのうち、布フック装置１は、ベース１０、前後移動機構２０及び上下移動機構３０を含む。
【００１１】
図３に示すように、ベース１０は、主にベース板１１、接続構造１２、係止板１３及びスリーブ接続柱１４，ベース板１１は、ストリップ形を呈し、ベース板１１の左側上部の位置にガイドレール１１１を取り付け、接続構造１２は、横板１２１と、横板１２１の一端から延伸する縦板１２２と、縦板１２２の一端から延伸する側板１２３と、を含み、接続構造１２は、横板１２１によりネジ等の螺合部材によってベース板１１上に取り付けられている。
係止板１３は、Ｌ形板１５及び螺合部材によって接続構造１２の縦板１２２前側に固定され、係止板１３及び縦板１２２の間に間隔溝１６を形成し、スリーブ接続柱１４は、ネジ等の螺合部材によって接続構造１２の縦板１２２に固定され、且つ係止多１３の前端面に延伸突出する。
また、ベース板１１の左側上方に矩形ブロック１７を固定し、矩形ブロック１７の前側寄りの位置にガイド柱１８を貫通接続する。
【００１２】
図４に示すように、前後移動機構２０は、ベース１０上に取り付けられ、前後移動機構２０は、第１アクチュエータ２１、滑動接続部材２２及び移動ブロック２３を含み、第１アクチュエータ２１は、気圧、油圧又は電動等の伝動方式のアクチュエータであることができ、本実施例は、気圧シリンダであり、この第１アクチュエータ２１は、シリンダ２１及びシリンダ２１１に接続し、２１１に対して伸縮移動可能なタイロッド２１を含み、シリンダ２１１は、ネジ等の螺合部材を介して前記ベース板１１の一側辺に固定されている。
滑動接続部材２２は、ボルトを介してタイロッド２１２の末端に接続し、滑動接続部材２２の一側辺は、前記ガイドレール１１１を滑動接続させるガイド溝２２１を設け、移動ブロック２３は、主に下ブロック体２３１及び上ブロック体２３３を含み、下ブロック体２３１の中心位置に貫通孔２３２を設け、貫通孔２３２は、前記ガイド柱１８にスリーブ接続し、相互に滑動可能に合わさり、上ブロック体２３３は、Ｔ字形を呈し、ボルトによって下ブロック体２３１の上方に接続し、また、上ブロック体２３３は、互いに平行な２つの長溝２３４及び螺子孔２３５を設ける。
【００１３】
図５を参照し、上下移動機構３０は、ソケット３１、第２アクチュエータ３２、揺動アーム３３及び布フックロッド３４を含み、ソケット３１は、ネジによって上ブロック体２３３に固定され、ソケット３１の底端は、枢着軸３１１を接続し、第２アクチュエータ３２も、気圧、油圧又は電動等の伝動方式のアクチュエータであることができる。
本実施例は、気圧シリンダであり、この第２アクチュエータ３２は、Ｕ形構造３２１、シリンダ３２２、タイロッド３２３及びＵ形板３２４を含み、Ｕ形構造３２１は、ネジによってソケット３１に固定され、シリンダ３２２は、挿入ピンによってＵ形構造３２１に枢着され、タイロッド３２３は、シリンダ３２２に接続し、シリンダ３２２に対して伸縮移動を行うことができ、Ｕ形板３２４は、タイロッド３２３のシリンダ３２２から離れた一端に接続し、Ｕ形板３２４は、連通孔３２５を設け、揺動アーム３３は、第１通孔３３１及び第１通孔３３１と互いに平行な第２通孔３３２を設け、第１通孔３３１は、前記枢着軸３１１にスリーブ接続され、布フックロッド３４は、連通孔３２５及び第２通孔３３２を貫通接続して揺動アーム３３及びＵ形板３２４に接続し、布フックロッド３４の揺動アーム３３から離れる一端にフック部３４１を形成する。
【００１４】
また、本考案の布フック装置は、更に方向転換機構４０を含み、この方向転換機構４０は、つまみ４１及びネジ４２を含み、ネジ４２は、前記ソケット３１の一側辺に接続し、且つネジ４２の底端は、前記上ブロック体２３３のネジ孔２３５に螺合し、つまみ４１は、ネジ４２の上端に固定される。方向変換を行いたい時、先ず前記上ブロック体２３３の長溝２３４に貫通接続する螺合部材（点線）を回転し、その次、順時計又は反時計回りにつまみ４１を回転し、ネジ４２の回転を同時に連動し、ソケット３１に上向き又は下向きの移動を発生させる。
続いて前記長溝２３４の螺合部材を締め付け、最後に前記第２アクチュエータ３２の吸気排気管と互換する。このように、各種異なる使用要求に応じてタイロッド３２３の外向きに伸出し、揺動アーム３３の一端を利用してソケット３１の底端の位置に枢着し、布フックロッド３４を制御するフック部３４１と下向きの回転布フックを発生するか、タイロッド３２３の内向きに縮み込みを利用し、布フックロッド３４のフック部３４１を制御し、上向きの回転布フックを発生する。
【００１５】
図６〜図８を参照し、上記各部材又は機構が組み合わさってなる布フック装置１をミシン８に応用し、ミシン８は、主に機体８１及び機体８１下方に接続する底台８２を含み、機体８１及び底台８２の前側に縫製領域８３を形成し、そのうち、ベース板１１は、ボルトによって底台８２に固定され、それにより、布フック装置１を縫製領域８３に対応して設置させる（図６参照）。
【００１６】
図１、図２及び図５に示すように、使用時、袖又は裾の管口を適当な距離だけ折り返すことができ、スリーブ接続柱１４及びミシン８の各ローラ柱８４に対応してスリーブ接続を行い、電源を起動後に第１アクチュエータ２１をそのタイロッド２１２により滑動接続部材２２及び移動ブロック２３を連動しガイド柱１８の軸方向に沿って移動させる。
同時に、上下移動機構３０を移動ブロック２３に伴って移動させ、この時、布負フックロッド３４のフック部３４１は、前記管口に向けて移動の動作を行う（図７参照）。続いて、第２アクチュエータ３２を利用して、そのタイロッド３２３により揺動アーム３３を駆動し、揺動アーム３３に枢着軸３１１を回転の中心として回転動作を発生させ、この時、布フックロッド３４は、フック部３４１により前記管口に対応して回転布フックの動作を行う（図８参照）。最後に、ミシン８の縫製メカニズムにより袖又は裾の管口に対して縫製作業を行うことができる。
【００１７】
上記のように、本考案の管口縫製に用いる布フック装置は、予期する使用目的を達成することができ、従来の欠陥を解決し、また、新規性及び進歩性を有し、実用新案の出願要件に完全に符号する。
【符号の説明】
【００１８】
１  布フック装置
１０  ベース
１１  ベース板
１１１  ガイドレール
１２  接続構造
１２１  横板
１２２  縦板
１２３  側板
１３  係止板
１４  スリーブ接続柱
１５  Ｌ形板
１６  間隔溝
１７  矩形ブロック
１８  ガイド柱
２０  前後移動機構
２１  第１アクチュエータ
２１１  シリンダ
２１２  タイロッド
２２  滑動接続部材
２２１  ガイド溝
２３  移動ブロック
２３１  下ブロック体
２３２  貫通孔
２３３  上ブロック体
２３４  長溝
２３５  ネジ孔
３０  上下移動機構
３１  ソケット
３１１  枢着軸
３２  第２アクチュエータ
３２１  Ｕ形構造
３２２  シリンダ
３２３  タイロッド
３２４  Ｕ形板
３２５  連通孔
３３  揺動アーム
３３１  第１通孔
３３２  第２通孔
３４  布フックロッド
３４１  フック部
４０  方向転換機構
４１  つまみ
４２  ネジ
８  ミシン
８１  機体
８２  底台
８３  縫製エリア
８４  ローラ柱
【図１】
0003211998.tif 000003
【図２】
0003211998.tif 000004
【図３】
0003211998.tif 000005
【図４】
0003211998.tif 000006
【図５】
0003211998.tif 000007
【図６】
0003211998.tif 000008
【図７】
0003211998.tif 000009
【図８】
0003211998.tif 000010
【手続補正書】
【提出日】平成29年6月21日(2017.6.21)
【手続補正１】
【補正対象書類名】実用新案登録請求の範囲
【補正対象項目名】全文
【補正方法】変更
【補正の内容】
【実用新案登録請求の範囲】
【請求項１】
ベースと、
該ベース上に取り付けられ、第１アクチュエータ及び該第１アクチュエータの駆動を受ける移動ブロックを含む前後移動機構と、
該移動ブロックに取り付けられるソケットと、該ソケットに固定される第２アクチュエータと、該ソケットに枢着し、該第２アクチュエータの駆動を受ける揺動アームと、該揺動アームに接続する布フックロッドと、を含む上下移動機構と、
を含み、該布フックロッドは、該前後移動機構及び該上下移動機構の動作によって、伸縮移動及び回転布フックを発生できる管口縫製に用いる布フック装置。
【請求項２】
前記ベースは、ベース板を含み、該ベース板は、ガイドレールを取り付け、該前後移動機構は、更に該第１アクチュエータ及び該移動ブロックを接続する滑動接続部材を含み、該滑動接続部材は、該ガイドレールを滑動接続させるガイド溝を設ける請求項１に記載の管口縫製に用いる布フック装置。
【請求項３】
前記ベースは、更に、接続構造及び係止板を含み、該接続構造は、横板、該横板から延伸する縦板及び該縦板から延伸する側板を含み、該横板は、該ベース板上に固定され、該係止板は、Ｌ形板によって該縦板に固定され、該係止板及び該縦板の間に間隔溝を形成する請求項２に記載の管口縫製に用いる布フック装置。
【請求項４】
前記ベースは、更に、スリーブ接続柱を含み、該スリーブ接続柱は、該縦板に固定され、且つ該係止板の前端面に延伸突出する請求項３に記載の管口縫製に用いる布フック装置。
【請求項５】
前記ベース板上方は、矩形ブロックを固定され、該矩形ブロック前側にガイド柱を接続し、該移動ブロックは、下ブロック体を含み、該下ブロック体に該ガイド柱を滑動接続させる貫通孔を設ける請求項２に記載の管口縫製に用いる布フック装置。
【請求項６】
前記移動ブロックは、更に、上ブロック体を含み、該上ブロック体は、該下ブロック体上方に固定され、該ソケットは、該上ブロック体に取り付けられる請求項５に記載の管口縫製に用いる布フック装置。
【請求項７】
更に、方向転換機構を含み、該方向転換機構は、つまみ及びネジを含み、該ネジは、該ソケットの一側辺に接続し、且つ該ネジは、該上ブロック体のネジ孔に螺合し、該つまみは、該ネジの一端に固定される請求項６に記載の管口縫製に用いる布フック装置。
【請求項８】
前記第１アクチュエータは、シリンダ及び該シリンダに接続し且つ該シリンダに対して伸縮移動可能なタイロッドを含み、該タイロッドは、該滑動接続部材に接続する請求項２に記載の管口縫製に用いる布フック装置。
【請求項９】
前記ソケットは、枢着軸に接続し、該揺動アームは、第１通孔を設け、該第１通孔は、該枢着軸にスリーブ接続する請求項１に記載の管口縫製に用いる布フック装置。
【請求項１０】
該揺動アームは、更に、該第１通孔と互いに平行な第２通孔を設け、該第２アクチュエータは、Ｕ形構造、シリンダ、タイロッド及びＵ形板を含み、該Ｕ形構造は、該ソケットに固定され、該シリンダは、挿入ピンによって該Ｕ形構造に枢着し、該タイロッドは、該シリンダに接続し、該シリンダに対して伸縮移動することができ、該Ｕ形板は、該タイロッドに接続し、該Ｕ形板は、連通孔を設け、該布フックロッドは、該連通孔及び該第２通孔に貫通接続して固定される請求項９に記載の管口縫製に用いる布フック装置。